(57)【要約】【課題】手で誤ってロック状態が解除されないようにするとともに、作業者が一人で容易にレセプタクルコネクタからプラグコネクタを離脱することができるようにする。【解決手段】  レセプタクルコネクタ３のレセプタクルハウジング４に貫通孔４１１を設けた。プラグコネクタ６のプラグハウジング７に、貫通孔４１１と係合可能な凸部９２と、凸部９２を貫通孔４１１に付勢する板ばね７１１とを設けた。嵌合・離脱方向Ｄ１と直交する方向Ｄ２へ着脱可能に装着される治具本体９１と、治具本体９１に設けられ、治具本体９１がレセプタクルコネクタ３に装着されるとき爪部７１２を板ばね７１１の付勢力に抗して爪部７１２を押圧して爪部７１２と貫通孔４１１との係合を解除する凸部９２とで、ロック解除治具９を構成した。【選択図】図１
2010205595.tif 000002
【特許請求の範囲】
【請求項１】
レセプタクルコネクタの貫通孔とプラグコネクタの突起部との係合を解除して前記レセプタクルコネクタと前記レセプタクルコネクタに挿入された前記プラグコネクタとのロック状態を解除するロック解除治具において、
前記レセプタクルコネクタに対して、前記プラグコネクタと前記レセプタクルコネクタとの嵌合・離脱方向と直交する方向へ着脱可能に装着される治具本体と、
前記治具本体に設けられ、前記治具本体が前記レセプタクルコネクタに装着されるとき前記突起部を前記貫通孔に付勢するばね部の付勢力に抗して前記突起部を押圧して前記突起部と前記貫通孔との係合を解除する押圧部と
を備えていることを特徴とするロック解除治具。
【請求項２】
前記治具本体が半円筒状であり、
前記押圧部が、前記治具本体の一端部の内周面に半径方向へ対向するように配置され、前記レセプタクルコネクタの外周面に前記貫通孔を前記嵌合・離脱方向と直交する方向へ横切るように形成されたガイド溝にガイドされる一対の凸部である
ことを特徴とする請求項１記載のロック解除治具。
【請求項３】
前記治具本体が前記レセプタクルコネクタに装着されるとき前記レセプタクルコネクタの外周面に形成されたガイド部にガイドされ、前記レセプタクルコネクタに対する前記治具本体の姿勢を安定させる姿勢安定突起部が、前記治具本体の他端部の内周面に半径方向へ対向するように形成されている
ことを特徴とする請求項２記載のロック解除治具。
【請求項４】
レセプタクルコネクタと、このレセプタクルコネクタに挿入されるプラグコネクタと、それらのコネクタのロック状態を解除するロック解除治具とを備えるコネクタ装置において、
前記レセプタクルコネクタは、貫通孔を有し、
前記プラグコネクタは、前記貫通孔に係合可能な突起部と、この突起部を前記貫通孔に付勢するばね部と、このばね部を支持するコネクタ本体とを有し、
前記ロック解除治具は、前記レセプタクルコネクタに対して前記プラグコネクタと前記レセプタクルコネクタとの嵌合・離脱方向と直交する方向へ着脱可能に装着される治具本体と、前記治具本体に設けられ、前記治具本体が前記レセプタクルコネクタに装着されるとき前記突起部を前記ばね部の付勢力に抗して前記突起部を押圧して前記突起部と前記貫通孔との係合を解除する押圧部とを有する
ことを特徴とするコネクタ装置。
【請求項５】
前記治具本体が前記レセプタクルコネクタに装着されるとき前記嵌合・離脱方向と直交する方向へ前記押圧部をガイドするガイド溝が、前記レセプタクルコネクタの外周面に前記貫通孔を横切るように形成されている
ことを特徴とする請求項４記載のコネクタ装置。
【請求項６】
前記治具本体が半円筒状であり、前記押圧部が前記治具本体の一端部の内周面に半径方向へ対向するように配置された一対の凸部である
ことを特徴とする請求項４又は５記載のコネクタ装置。
【請求項７】
前記治具本体の他端部の内周面に一対の姿勢安定突起部が半径方向へ対向するように形成され、
前記治具本体が前記レセプタクルコネクタに装着されるとき前記姿勢安定突起部をガイドして前記レセプタクルコネクタに対する前記治具本体の姿勢を安定させるガイド部が、前記レセプタクルコネクタの外周面に形成されている
ことを特徴とする請求項６記載のコネクタ装置。
【請求項８】
前記突起部が、前記凸部に前記突起部が押圧されたとき前記コネクタ本体を前記レセプタクルコネクタから離れる方向へ移動させる形状である
ことを特徴とする請求項５、６又は７記載のコネクタ装置。
【発明の詳細な説明】
【技術分野】
【０００１】
この発明はロック解除装置及びコネクタ装置に関する。特にプラグコネクタとレセプタクルコネクタとのロック状態を解除するロック解除装置に関するとともに、プラグコネクタとレセプタクルコネクタとロック解除装置とで構成されるコネクタ装置であって、例えば太陽電池モジュールのセル間の電気的接続に好適なコネクタ装置に関する。
【背景技術】
【０００２】
従来、円筒状のコネクタソケットとこのコネクタソケットに挿入される円筒状のコネクタプラグとを備えるコネクタ装置が知られている（下記特許文献１参照）。
【０００３】
コネクタソケットに２つの角穴が形成されている。２つの角穴はコネクタソケットの径方向で対向している。
【０００４】
コネクタプラグは中心軸方向へ延びる２つのバネ片を有し、２つのバネ片はコネクタプラグの中心軸に対し線対称の位置にある。バネ片の自由端にはコネクタソケットの角穴に係合可能なロック用爪が形成されている。ロック爪には角穴との係合を解除するための傾斜面が形成されている。
【０００５】
コネクタソケットにコネクタプラグを挿入（嵌合）し、コネクタプラグを所定方向へ回転させると、コネクタプラグのバネ片のロック用爪がコネクタソケットの角穴に係合し、コネクタソケットにコネクタプラグがロックされ、両コネクタの嵌合状態が維持される。これに対し、コネクタソケットにコネクタプラグがロックされた状態からコネクタプラグを所定方向と反対の方向へ回転させると、コネクタプラグのバネ片のロック用爪とコネクタソケットの角穴との係合が解かれ、コネクタソケットとコネクタプラグとのロック状態が解除される。
【０００６】
このコネクタ装置の他の従来技術として、レセプタクルコネクタにプラグコネクタがロックされた状態からプラグコネクタをいずれの方向へ回転させようとしても、プラグコネクタのばね片のロック用爪とレセプタクルコネクタの角穴との係合が解除されないコネクタ装置がある。このコネクタ装置では、レセプタクルコネクタの２つの角穴に２つのドライバーの先端を同時に突っ込んでばね片のロック用爪と角穴との係合を解くとともに、その状態でプラグコネクタを引っ張ることによって、レセプタクルコネクタからプラグコネクタを離脱することができる。
【先行技術文献】
【特許文献】
【０００７】
【特許文献１】特開２０００−２２８２５０号公報
【発明の概要】
【発明が解決しようとする課題】
【０００８】
上述の通り従来技術として２つのコネクタ装置があるが、前者のコネクタ装置（上記特許文献１記載のコネクタ装置）には、プラグコネクタのわずかな量の回転でばね片のロック用爪と角穴との係合が解かれるため、手で誤ってレセプタクルコネクタとプラグコネクタとのロック状態が解除される可能性がある。
【０００９】
これに対し、後者のコネクタ装置にはこのような問題がない。しかし、レセプタクルコネクタからプラグコネクタを離脱するためにはドライバー等の治具の位置合せ、係合を解除後のプラグコネクタの引き抜き、また治具自体をレセプタクルコネクタから離脱することが困難であった。
【００１０】
この発明はこのような事情に鑑みてなされたもので、その課題は、手で誤ってロック状態が解除されないようにするとともに、容易にレセプタクルコネクタからプラグコネクタを離脱することができるようにすることである。
【課題を解決するための手段】
【００１１】
前述の課題を解決するため請求項１の発明は、レセプタクルコネクタの貫通孔とプラグコネクタの突起部との係合を解除して前記レセプタクルコネクタと前記レセプタクルコネクタに挿入された前記プラグコネクタとのロック状態を解除するロック解除治具において、前記レセプタクルコネクタに対して、前記プラグコネクタと前記レセプタクルコネクタとの嵌合・離脱方向と直交する方向へ着脱可能に装着される治具本体と、前記治具本体に設けられ、前記治具本体が前記レセプタクルコネクタに装着されるとき前記突起部を前記貫通孔に付勢するばね部の付勢力に抗して前記突起部を押圧して前記突起部と前記貫通孔との係合を解除する押圧部とを備えていることを特徴とする。
【００１２】
プラグコネクタに対してロック状態にあるレセプタクルコネクタにロック解除治具を装着したとき、ロック解除治具の押圧部がプラグコネクタの突起部をばね部の付勢力に抗して押圧して突起部とレセプタクルコネクタの貫通孔との係合を解除する。したがって、プラグコネクタをレセプタクルコネクタから簡単に引き抜くことができる。
【００１３】
請求項２の発明は、請求項１記載のロック解除治具において、前記治具本体が半円筒状であり、前記押圧部が、前記治具本体の一端部の内周面に半径方向へ対向するように配置され、前記レセプタクルコネクタの外周面に前記貫通孔を前記嵌合・離脱方向と直交する方向へ横切るように形成されたガイド溝にガイドされる一対の凸部であることを特徴とする。
【００１４】
請求項３の発明は、請求項２記載のロック解除治具において、前記治具本体が前記レセプタクルコネクタに装着されるとき前記レセプタクルコネクタの外周面に形成されたガイド部にガイドされ、前記レセプタクルコネクタに対する前記治具本体の姿勢を安定させる姿勢安定突起部が、前記治具本体の他端部の内周面に半径方向へ対向するように形成されていることを特徴とする。
【００１５】
請求項４の発明は、レセプタクルコネクタと、このレセプタクルコネクタに挿入されるプラグコネクタと、それらのコネクタのロック状態を解除するロック解除治具とを備えるコネクタ装置において、前記レセプタクルコネクタは、貫通孔を有し、前記プラグコネクタは、前記貫通孔に係合可能な突起部と、この突起部を前記貫通孔に付勢するばね部と、このばね部を支持するコネクタ本体とを有し、前記ロック解除治具は、前記レセプタクルコネクタに対して前記プラグコネクタと前記レセプタクルコネクタとの嵌合・離脱方向と直交する方向へ着脱可能に装着される治具本体と、前記治具本体に設けられ、前記治具本体が前記レセプタクルコネクタに装着されるとき前記突起部を前記ばね部の付勢力に抗して前記突起部を押圧して前記突起部と前記貫通孔との係合を解除する押圧部とを有することを特徴とする。
【００１６】
請求項５の発明は、請求項４記載のコネクタ装置において、前記治具本体が前記レセプタクルコネクタに装着されるとき前記嵌合・離脱方向と直交する方向へ前記押圧部をガイドするガイド溝が、前記レセプタクルコネクタの外周面に前記貫通孔を横切るように形成されていることを特徴とする。
【００１７】
請求項６の発明は、請求項４又は５記載のコネクタ装置において、前記治具本体が半円筒状であり、前記押圧部が前記治具本体の一端部の内周面に半径方向へ対向するように配置された一対の凸部であることを特徴とする。
【００１８】
請求項７の発明は、請求項６記載のコネクタ装置において、前記治具本体の他端部の内周面に一対の姿勢安定突起部が半径方向へ対向するように形成され、前記治具本体が前記レセプタクルコネクタに装着されるとき前記姿勢安定突起部をガイドして前記レセプタクルコネクタに対する前記治具本体の姿勢を安定させるガイド部が、前記レセプタクルコネクタの外周面に形成されていることを特徴とする。
【００１９】
請求項８の発明は、請求項５、６又は７記載のコネクタ装置において、前記突起部が、前記凸部に前記突起部が押圧されたとき前記コネクタ本体を前記レセプタクルコネクタから離れる方向へ移動させる形状であることを特徴とする。
【発明の効果】
【００２０】
この発明によれば、手で誤ってロック状態が解除されないようにするとともに、作業者が一人で容易にレセプタクルコネクタからプラグコネクタを離脱することができるようにすることができる。
【図面の簡単な説明】
【００２１】
【図１】図１はこの発明の第１実施形態のコネクタ装置のレセプタクルコネクタとプラグコネクタとのロック状態をロック解除治具で解除する前の状態を示す斜視図である。
【図２】図２は図１に示すコネクタ装置のレセプタクルコネクタの側面図である。
【図３】図３は図１に示すコネクタ装置のレセプタクルコネクタの平面図である。
【図４】図４は図１に示すコネクタ装置のプラグコネクタの側面図である。
【図５】図５は図１に示すコネクタ装置のレセプタクルコネクタとプラグコネクタとのロック状態を示す側面図である。
【図６】図６は図１のVI−VI線に沿う断面図である。
【図７】図７は図１に示すコネクタ装置のレセプタクルコネクタにロック解除治具を装着し終る前であって、まだロック状態が解除されていない状態を示す平面図である。
【図８】図８は図７のVIII−VIII線に沿う断面図である。
【図９】図９は図７のIX−IX線に沿う断面図である。
【図１０】図１０は図１に示すコネクタ装置のレセプタクルコネクタにロック解除治具を装着し終わり、ロック状態が解除された状態を示す平面図である。
【図１１】図１１は図１０のXI−XI線に沿う断面図である。
【図１２】図１２は図１０のXII−XII線に沿う断面図である。
【図１３】図１３はこの発明の第２実施形態のコネクタ装置のレセプタクルコネクタとプラグコネクタとのロック状態をロック解除治具で解除する前の状態を示す斜視図である。
【発明を実施するための形態】
【００２２】
以下、この発明の実施の形態を図面に基づいて説明する。
【００２３】
図１に示すように、この発明の第１実施形態のコネクタ装置１はレセプタクルコネクタ３とプラグコネクタ６とロック解除治具９とを備える。
【００２４】
図２、図３、図５、図６に示すように、レセプタクルコネクタ３は円筒状のレセプタクルハウジング４とソケットコンタクト５とを有する。
【００２５】
レセプタクルハウジング４は第１円筒部４１と第２円筒部４２とくびれ部（ガイド部）４４と電線保持部４５とを有する。レセプタクルハウジング４は例えば合成樹脂で一体成形されている。
【００２６】
第１円筒部４１の外周面には２つの貫通孔４１１が形成されている。２つの貫通孔４１１は第１円筒部４１の中心軸に関して線対称の関係にある。貫通孔４１１は矩形である。また、第１円筒部４１の外周面には各貫通孔４１１を横切るようにガイド溝４１２が形成されている。ガイド溝４１２はプラグコネクタ６とレセプタクルコネクタ３との嵌合・離脱方向Ｄ１（図１参照）と直交する方向Ｄ２（図１参照）へ延びている。
【００２７】
第２円筒部４２は第１円筒部４１内に収容され、第２円筒部４２の中心軸と第１円筒部４１の中心軸とは一致している。第１円筒部４１と第２円筒部４２との間には環状空間４３が形成されている。
【００２８】
第１円筒部４１の後端部（図６の第１円筒部４１の右側部分）と第２円筒部４２の後端部（図６の第２円筒部４２の右側部分）とは結合されている。
【００２９】
第１、第２円筒部４１，４２の後端部にはくびれ部４４を介して電線保持部４５が連なる。電線保持部４５はほぼ円筒状であり、電線１１の被覆１１１の先端部を保持する。電線保持部４５とくびれ部４４とを中心線に沿って貫く中心孔４７は第２円筒部４２の空間４２１に通じている。中心孔４７の先端部の内径は空間４２１の内径よりも小さく、空間４２１の内周面には段差面４２２が形成されている（図６参照）。中心孔４７の後端部４７ｂの内径は中心孔４７の先端部４７ａよりも大きく、中心孔４７の後端部４７ｂには、電線１１の外周面に装着されたブッシング４９が収容されている。電線保持部４５にはカップリングナット４８が着脱可能に装着されている。電線保持部４５に装着されたカップリングナット４８によりブッシング４９の脱落が防止される。
【００３０】
くびれ部４４の外周面には２対のリブ４６が形成されている。２対のリブ４６は互いにくびれ部４４の中心軸に関して線対称の関係にある。いずれの対のリブ４６も周方向へ所定の間隔をおいて配置されている。一方の対のリブ４６の先端を結ぶ仮想直線（中心軸と直交する直線）と他方の対のリブ４６の先端を結ぶ仮想直線とはガイド溝４１２の底面と平行である。
【００３１】
図６に示すように、ソケットコンタクト５はコンタクト本体５０と接触部５１とランス５２と接続部５３とを有する。ソケットコンタクト５は弾性金属板で一体に形成されている。コンタクト本体５０はほぼ円筒状である。複数の接触部５１はコンタクト本体５０の周方向に沿ってコンタクト本体５０に所定の間隔に配置されている。接触部５１はコンタクト本体５０内で延びている。複数のランス５２はコンタクト本体５０の周方向に沿ってコンタクト本体５０に所定の間隔に配置されている。接続部５３はコンタクト本体５０に連なる。接続部５３は電線１１の導線１１２にかしめられて接続されている。ソケットコンタクト５のコンタクト本体５０は中心孔４７を通じて第２円筒部４２の空間４２１内に挿入される。空間４２１内に挿入されたソケットコンタクト５のランス５２は段差面４２２に係合し、ソケットコンタクト５は第２円筒部４２から抜けなくなる。
【００３２】
図４、図５、図６に示すように、プラグコネクタ６はプラグハウジング７とピンコンタクト８とを有する。
【００３３】
プラグハウジング７はハウジング本体（コネクタ本体）７１と連結部７２と電線保持部７３とを有する。プラグハウジング７は例えば合成樹脂で一体成形されている。
【００３４】
ハウジング本体７１はほぼ円筒状である。ハウジング本体７１の外周面には２つの板ばね（ばね部）７１１が形成されている。２つの板ばね７１１はハウジング本体７１の中心軸に関して線対称の関係にある。板ばね７１１は両持ち梁状であり、嵌合・離脱方向Ｄ１へ延びている。板ばね７１１の両端はハウジング本体７１に支持され、板ばね７１１の中間部には爪部（突起部）７１２が形成されている。爪部７１２には傾斜面７１２ａが形成されている。爪部７１２はレセプタクルハウジング４の貫通孔４１１に収まるが、貫通孔４１１から突出しない。傾斜面７１２ａは爪部７１２が貫通孔４１１に収まったとき、第１円筒部４１のガイド溝４１２内に入り込む。
【００３５】
ハウジング本体７１の後端部（図６のハウジング本体７１の左側部分）には連結部７２を介して電線保持部７３が連なる。連結部７２はほぼ円筒状である。電線保持部７３はほぼ円筒状であり、電線１２の被覆１２１の先端部を保持する。電線保持部７３と連結部７２とを中心線に沿って貫く中心孔７４はハウジング本体７１の空間７１３に通じている。中心孔７４の先端部の内径は空間７１３の内径よりも小さく、中心孔７４の内周面には段差面７１４が形成されている（図６参照）。中心孔７４の後端部７４ｂの内径は中心孔４７の先端部７４ａよりも大きく、中心孔７４の後端部７４ｂには、電線１２の外周面に装着されたブッシング７９が収容されている。電線保持部７３にはカップリングナット７８が着脱可能に装着されている。電線保持部７３に装着されたカップリングナット７８によりブッシング７９の脱落が防止される。
【００３６】
図６に示すように、ピンコンタクト８はコンタクト本体８１とランス８２と接続部８３とを有する。ピンコンタクト８は弾性金属板で一体に形成されている。コンタクト本体８１の前部（図６のコンタクト本体８１の右側部分）はピン状に形成され、接触部８１１を構成する。コンタクト本体８１の後部（図６のコンタクト本体８１の左側部分）はほぼ円筒状である。複数のランス８２はコンタクト本体８１の周方向に沿ってコンタクト本体８１の後部に等間隔に配置されている。接続部８３はコンタクト本体８１に連なる。接続部８３は電線１２の導線１２２にかしめられている。ピンコンタクト８のコンタクト本体８１は中心孔７４を通じてハウジング本体７１の空間７１３内に挿入される。空間７１３内に挿入されたピンコンタクト８のランス８２は段差面７１４に係合し、ピンコンタクト８はハウジング本体７１から抜けなくなる。
【００３７】
図１、図９、図１２に示すように、ロック解除治具９は治具本体９１と２つの凸部（押圧部）９２と２つの姿勢安定突起部９３とを有する。ロック解除治具９は弾性変形可能な材料で一体成形されている。治具本体９１は半円筒状である。２つの凸部９２は治具本体９１の一端部（治具本体９１の中心軸方向の一端部）の内周面に半径方向へ対向するように配置されている。凸部９２は押圧面９２ａと傾斜面９２ｂとを有する。押圧面９２ａはほぼ平坦面である。２つの押圧面９２ａは互いに平行である。傾斜面９２ｂは押圧面９２ａの一端に連なる。２つの姿勢安定突起部９３は治具本体９１の他端部（治具本体９１の中心軸方向の他端部）の内周面に半径方向へ対向するように配置されている。姿勢安定突起部９３は３つの被ガイド面９３ａ，９３ｂ，９３ｃを有する。被ガイド面９３ａは平坦面である。２つの姿勢安定突起部９３の被ガイド面９３ａは互いに平行である。被ガイド面９３ｂ，９３ｃは被ガイド面９３ａに対して直角な面である。
【００３８】
図５、図６に示すように、レセプタクルコネクタ３にプラグコネクタ６を挿入（嵌合）すると、プラグハウジング７のハウジング本体７１はレセプタクルハウジング４の環状空間４３に収容され、プラグハウジング７の爪部７１２が板ばね７１１のばね力によってレセプタクルハウジング４の貫通孔４１１と係合する。その結果、プラグハウジング７がレセプタクルハウジング４にロックされ、レセプタクルコネクタ３とプラグコネクタ６との嵌合状態が維持される。貫通孔４１１に入り込んだ爪部７１２は貫通孔４１１から突出しないので、図示しない作業者の指で爪部７１２を押圧してレセプタクルコネクタ３とプラグコネクタ６とのロック状態を解除することができない。したがって、作業者の取扱ミスなどによってレセプタクルコネクタ３とプラグコネクタ６とのロック状態が解除されることを防止できる。
【００３９】
また、レセプタクルコネクタ３とプラグコネクタ６とを嵌合させると、プラグコネクタ６のピンコンタクト８の接触部８１１がレセプタクルコネクタ３のソケットコンタクト５のコンタクト本体５０内に挿入され、ピンコンタクト８の接触部８１１がソケットコンタクト５の接触部５１に接触する。その結果、電線１１と電線１２とが電気的に接続される。
【００４０】
次に、ロック解除操作について説明する。レセプタクルコネクタ３とプラグコネクタ６とのロック状態を解除するには、図１に示すロック解除治具９を嵌合・離脱方向Ｄ１と直交する方向Ｄ２に沿ってレセプタクルコネクタ３に装着するだけでよい。
【００４１】
レセプタクルコネクタ３に対するロック解除治具９の装着開始位置（図７、図８、図９に示す状態）から装着完了位置（図１１、図１２、図１３に示す状態）までロック解除治具９が移動する間に、ロック解除治具９の姿勢安定突起部９３がリブ４６上をスライドする。このとき、姿勢安定突起部９３の被ガイド面９３ａはリブ４６に、被ガイド面９３ｂ，９３ｃはくびれ部４４の内面にそれぞれ接触して移動するので、ロック解除治具９は嵌合・離脱方向Ｄ１と直交する方向Ｄ２へスムースに案内されるとともに、ロック解除治具９の中心軸を回転中心とする回転が阻止される。
【００４２】
また、ロック解除治具９の装着開始位置から装着完了位置までロック解除治具９が移動する間に、ロック解除治具９の凸部９２がレセプタクルハウジング４のガイド溝４１２内をスライドし、凸部９２の傾斜面９２ｂがプラグハウジング７の爪部７１２の傾斜面７１２ａに乗り上げて板ばね７１１のばね力に抗して爪部７１２を押し下げる。凸部９２の押圧面９２ａが爪部７１２の傾斜面７１２ａを押圧すると、爪部７１２は貫通孔４１１から抜け、レセプタクルコネクタ３とプラグコネクタ６とのロック状態が解除される。したがって、手でプラグコネクタ６をレセプタクルコネクタ３から引き抜くことができる。
【００４３】
なお、レセプタクルコネクタ３とプラグコネクタ６とのロック状態が解除されたとき、押圧面９２ａで傾斜面７１２ａが押圧されるので、プラグコネクタ６が図１１の左側へ少し動く（図１１はプラグコネクタ６が左側へ少し動いた状態を示している）。その結果、レセプタクルコネクタ３からロック解除治具９を外したとしても、爪部７１２が貫通孔４１１に戻れなくなり、ロック解除状態が維持される。
【００４４】
この実施形態によれば、レセプタクルコネクタ２０３とプラグコネクタ６とのロック状態を解除すべきでないとき、手でプラグコネクタ６の爪部７１２をレセプタクルコネクタ３の貫通孔４１１から押し出せないので、手で誤ってロック状態が解除されないようにすることができ、レセプタクルコネクタ２０３とプラグコネクタ６とのロック状態を解除すべきとき、作業者の一方の手でプラグコネクタ６又はレセプタクルコネクタ３を保持し、他方の手でロック解除治具９を操作して爪部７１２と貫通孔４１１との係合を容易に解くことができるので、作業者が一人で容易にレセプタクルコネクタ３からプラグコネクタ６を離脱することができる。
【００４５】
これに対し、上述の従来のコネクタ装置の場合、レセプタクルコネクタからプラグコネクタを離脱するとき、レセプタクルコネクタの２つの角穴に２つのドライバーの先端を同時に突っ込んでバネ片のロック用爪と角穴との係合を解き、その状態でレセプタクルコネクタからプラグコネクタを引き抜かなければならないので、作業者が一人でレセプタクルコネクタからプラグコネクタを離脱することができない。
【００４６】
図１３はこの発明の第２実施形態のコネクタ装置２０１のレセプタクルコネクタ２０３とプラグコネクタ６とのロック状態をロック解除治具２０９で解除する前の状態を示す斜視図である。
【００４７】
第１実施形態と共通する部分については同一符号を付してその説明を省略する。以下、第１実施形態との主な相違部分についてだけ説明する。
【００４８】
第１実施形態では、レセプタクルハウジング４にガイド溝４１２を形成して、凸部９２がガイド溝４１２を通じて貫通孔４１１に進入できるようにした。これに対し、第２実施形態では、レセプタクルハウジング２０４にガイド溝が形成されておらず、凸部２９２はレセプタクルハウジング２０４の外周面を摺動して貫通孔４１１に進入する。
【００４９】
凸部２９２は貫通孔４１１に収まる形状に形成されている。貫通孔４１１内に進入した凸部２９２はばね部７１１の爪部７１２に対する付勢力に抗して爪部７１２を貫通孔４１１から押し出し、レセプタクルコネクタ２０３とプラグコネクタ６とのロック状態が解除される。
【００５０】
この実施形態によれば、第１実施形態と同様の作用効果を奏するとともに、ガイド溝４１２が必要ないので、レセプタクルコネクタ２０３をより簡単に作ることができる。
【００５１】
なお、上述の実施形態では、貫通孔として矩形の貫通孔４１１をレセプタクルハウジング４，２０４に設けたが、貫通孔の形状は矩形に限られない。
【００５２】
また、ガイド部としてくびれ部４４を設けたが、ガイド部としてはくびれ部４４に限られず、姿勢安定突起部９３を嵌合・離脱方向Ｄ１と直交する方向Ｄ２へ案内できるものであれば平行な２つの直線的な溝等でもよい。
【００５３】
なお、ロック解除治具９，２０９はほぼ半円筒状であるが、ロック解除治具９，２０９の形状は半円筒状に限られず、断面ほぼＵ字形のもの等でもよい。
【００５４】
また、ばね部として板ばね７１１を用いたが、ばね部は板ばね７１１に限られない。
【００５５】
なお、突起部として傾斜面７１２ａを有する爪部７１２のような形状のものを用いたが、突起部の形状としては半球状や半球を半分にカットしたような形状等でもよい。
【００５６】
また、押圧部は凸部であるが、凸部以外の押圧部として、ボールやピン等の可動部材とこの可動部材をレセプタクルコネクタに押圧するばねとで構成したものでもよい。
【００５７】
更に、他の押圧部として、治具本体を二分割し、二分割した一対の部材をヒンジで連結し、一対の部材間にばねを装着してなるクリップ型のロック解除治具がある。このロック解除治具の先端部は開閉可能であり、その先端部に形成された凸部で爪部を貫通孔４１１から押し出すようにしてもよい。
【００５８】
なお、上述の実施形態のコネクタ装置１，２０１のレセプタクルコネクタ３，２０３のレセプタクルハウジング４の形状は円筒状であるが、レセプタクルハウジングの形状は円筒以外の筒形状（例えば角筒状等）でもよい。
【００５９】
また、プラグコネクタ６に対して嵌合状態にあるレセプタクルコネクタ３にロック解除治具９を装着したとき、姿勢安定突起部９３がくびれ部４４に、凸部９２,２９２がガイド溝４１２にそれぞれ進入する。しかし、半円筒状の治具本体９１の一端部には押圧部である凸部９２,２９２が配置され、治具本体９１の他端部には姿勢安定突起部９３が配置され、治具本体９１の一端部の円弧は治具本体９１の他端部の円弧よりも長い（図１、図７、図１０参照）ので、姿勢安定突起部９３がくびれ部４４に進入するタイミングは凸部９２がガイド溝４１２に進入するタイミングよりも少し早い。したがって、治具本体９１がレセプタクルコネクタ３に対して嵌合・離脱方向Ｄ１と直交する方向Ｄ２へ案内され、凸部９２はガイド溝４１２に滑らかに進入する。
【符号の説明】
【００６０】
１  コネクタ装置
３  レセプタクルコネクタ
４  レセプタクルハウジング
４１１  貫通孔
４１２  ガイド溝
４４  くびれ部（ガイド部）
６  プラグコネクタ
７  プラグハウジング
７１１  板ばね（ばね部）
７１２  爪部（突起部）
９  ロック解除治具
９１  治具本体
９２  凸部（押圧部）
９３  姿勢安定突起部
Ｄ１  嵌合・離脱方向
Ｄ２  嵌合・離脱方向と直交する方向
【図１】
2010205595.tif 000003
【図２】
2010205595.tif 000004
【図３】
2010205595.tif 000005
【図４】
2010205595.tif 000006
【図５】
2010205595.tif 000007
【図６】
2010205595.tif 000008
【図７】
2010205595.tif 000009
【図８】
2010205595.tif 000010
【図９】
2010205595.tif 000011
【図１０】
2010205595.tif 000012
【図１１】
2010205595.tif 000013
【図１２】
2010205595.tif 000014
【図１３】
2010205595.tif 000015
【手続補正書】
【提出日】平成21年6月15日(2009.6.15)
【手続補正１】
【補正対象書類名】明細書
【補正対象項目名】００１５
【補正方法】変更
【補正の内容】
【００１５】
請求項４の発明は、レセプタクルコネクタと、このレセプタクルコネクタに挿入されるプラグコネクタと、それらのコネクタのロック状態を解除するロック解除治具とを備えるコネクタ装置において、前記レセプタクルコネクタは、貫通孔を有し、前記プラグコネクタは、前記貫通孔に係合可能な突起部と、前記貫通孔と前記突起部とが係合するように、前記突起部を前記貫通孔に向けて付勢するばね部と、このばね部を支持するコネクタ本体とを有し、前記ロック解除治具は、前記レセプタクルコネクタに対して前記プラグコネクタと前記レセプタクルコネクタとの嵌合・離脱方向と直交する方向へ着脱可能に装着される治具本体と、前記治具本体に設けられ、前記治具本体が前記レセプタクルコネクタに装着されるとき前記突起部を前記ばね部の付勢力に抗して前記突起部を押圧して前記突起部と前記貫通孔との係合を解除する押圧部とを有することを特徴とする。
【手続補正２】
【補正対象書類名】明細書
【補正対象項目名】００１９
【補正方法】変更
【補正の内容】
【００１９】
請求項８の発明は、請求項５、６又は７記載のコネクタ装置において、前記突起部が、前記凸部に前記突起部が押圧されたとき前記コネクタ本体を前記レセプタクルコネクタから離れる方向へ移動させる形状であることを特徴とする。
請求項９の発明は、レセプタクルコネクタと、前記レセプタクルコネクタに挿入されるプラグコネクタとを備え、前記レセプタクルコネクタは貫通孔を有し、前記プラグコネクタは、前記貫通孔に係合可能な突起部と、前記貫通孔と前記突起部とが係合するように、前記突起部を前記貫通孔に向けて付勢するばね部と、このばね部を支持するコネクタ本体とを有するコネクタにおいて、前記レセプタクルコネクタの外周面に、前記貫通孔を横切るように前記レセプタクルコネクタと前記プラグコネクタとの嵌合・離脱方向と直交する方向へ延び、前記突起部が前記貫通孔に係合したとき前記突起部の少なくとも一部を受け容れるガイド溝を設けたことを特徴とする。
請求項１０の発明は、請求項９記載のコネクタにおいて、前記レセプタクルコネクタと前記プラグコネクタとの嵌合を解除するとき、前記ガイド溝は、前記突起部を押圧して前記貫通孔との係合状態を解除するロック解除治具の押圧部を前記嵌合・離脱方向と直交する方向へガイドすることを特徴とする。
【手続補正３】
【補正対象書類名】特許請求の範囲
【補正対象項目名】全文
【補正方法】変更
【補正の内容】
【特許請求の範囲】
【請求項１】
レセプタクルコネクタの貫通孔とプラグコネクタの突起部との係合を解除して前記レセプタクルコネクタと前記レセプタクルコネクタに挿入された前記プラグコネクタとのロック状態を解除するロック解除治具において、
前記レセプタクルコネクタに対して、前記プラグコネクタと前記レセプタクルコネクタとの嵌合・離脱方向と直交する方向へ着脱可能に装着される治具本体と、
前記治具本体に設けられ、前記治具本体が前記レセプタクルコネクタに装着されるとき前記突起部を前記貫通孔に付勢するばね部の付勢力に抗して前記突起部を押圧して前記突起部と前記貫通孔との係合を解除する押圧部と
を備えていることを特徴とするロック解除治具。
【請求項２】
前記治具本体が半円筒状であり、
前記押圧部が、前記治具本体の一端部の内周面に半径方向へ対向するように配置され、前記レセプタクルコネクタの外周面に前記貫通孔を前記嵌合・離脱方向と直交する方向へ横切るように形成されたガイド溝にガイドされる一対の凸部である
ことを特徴とする請求項１記載のロック解除治具。
【請求項３】
前記治具本体が前記レセプタクルコネクタに装着されるとき前記レセプタクルコネクタの外周面に形成されたガイド部にガイドされ、前記レセプタクルコネクタに対する前記治具本体の姿勢を安定させる姿勢安定突起部が、前記治具本体の他端部の内周面に半径方向へ対向するように形成されている
ことを特徴とする請求項２記載のロック解除治具。
【請求項４】
レセプタクルコネクタと、このレセプタクルコネクタに挿入されるプラグコネクタと、それらのコネクタのロック状態を解除するロック解除治具とを備えるコネクタ装置において、
前記レセプタクルコネクタは、貫通孔を有し、
前記プラグコネクタは、前記貫通孔に係合可能な突起部と、前記貫通孔と前記突起部とが係合するように、前記突起部を前記貫通孔に向けて付勢するばね部と、このばね部を支持するコネクタ本体とを有し、
前記ロック解除治具は、前記レセプタクルコネクタに対して前記プラグコネクタと前記レセプタクルコネクタとの嵌合・離脱方向と直交する方向へ着脱可能に装着される治具本体と、前記治具本体に設けられ、前記治具本体が前記レセプタクルコネクタに装着されるとき前記突起部を前記ばね部の付勢力に抗して前記突起部を押圧して前記突起部と前記貫通孔との係合を解除する押圧部とを有する
ことを特徴とするコネクタ装置。
【請求項５】
前記治具本体が前記レセプタクルコネクタに装着されるとき前記嵌合・離脱方向と直交する方向へ前記押圧部をガイドするガイド溝が、前記レセプタクルコネクタの外周面に前記貫通孔を横切るように形成されている
ことを特徴とする請求項４記載のコネクタ装置。
【請求項６】
前記治具本体が半円筒状であり、前記押圧部が前記治具本体の一端部の内周面に半径方向へ対向するように配置された一対の凸部である
ことを特徴とする請求項４又は５記載のコネクタ装置。
【請求項７】
前記治具本体の他端部の内周面に一対の姿勢安定突起部が半径方向へ対向するように形成され、
前記治具本体が前記レセプタクルコネクタに装着されるとき前記姿勢安定突起部をガイドして前記レセプタクルコネクタに対する前記治具本体の姿勢を安定させるガイド部が、前記レセプタクルコネクタの外周面に形成されている
ことを特徴とする請求項６記載のコネクタ装置。
【請求項８】
前記突起部が、前記凸部に前記突起部が押圧されたとき前記コネクタ本体を前記レセプタクルコネクタから離れる方向へ移動させる形状である
ことを特徴とする請求項５、６又は７記載のコネクタ装置。
【請求項９】
レセプタクルコネクタと、前記レセプタクルコネクタに挿入されるプラグコネクタとを備え、
前記レセプタクルコネクタは貫通孔を有し、前記プラグコネクタは、前記貫通孔に係合可能な突起部と、前記貫通孔と前記突起部とが係合するように、前記突起部を前記貫通孔に向けて付勢するばね部と、このばね部を支持するコネクタ本体とを有するコネクタにおいて、
前記レセプタクルコネクタの外周面に、前記貫通孔を横切るように前記レセプタクルコネクタと前記プラグコネクタとの嵌合・離脱方向と直交する方向へ延び、前記突起部が前記貫通孔に係合したとき前記突起部の少なくとも一部を受け容れるガイド溝を設けた
ことを特徴とするコネクタ。
【請求項１０】
前記レセプタクルコネクタと前記プラグコネクタとの嵌合を解除するとき、
前記ガイド溝は、前記突起部を押圧して前記貫通孔との係合状態を解除するロック解除治具の押圧部を前記嵌合・離脱方向と直交する方向へガイドする
ことを特徴とする請求項９記載のコネクタ。